(57)【要約】      （修正有）【課題】骨盤底筋に対する力の加わり具合について工夫を行うことで、尿漏れを抑制することができる女性用ショーツを提供する。【解決手段】ショーツ本体３は、前身頃７、後身頃、およびこれらの下端部同士を連結する股布１１により構成されている。引き上げ部材５は、前側部材３１と後側部材３３とにより構成され、ショーツ本体３内の左右方向中央部に配置される。引き上げ部材５の前側部材３１は、パワーネットで形成されており、後側部材３３は、吸水性を有する素材により形成されている。引き上げ部材５は、その前側部材３１の前端辺が、前身頃７の上端部に縫着され、後側部材３３の後端辺は、後身頃と股布１１の縫着箇所に縫着される。【選択図】図３
0003166235.tif 000002
【実用新案登録請求の範囲】
【請求項１】
ショーツ本体と、このショーツ本体の内側に配置される引き上げ部材とを備え、
前記引き上げ部材は、その一端部が前記ショーツ本体の前側上端部に取り付けられ、他端部が前記ショーツ本体の後側の上下方向中途部に取り付けられており、
前記引き上げ部材の一端部側は伸縮性を有する素材により形成されている一方、他端部側は吸水性を有する素材により形成されており、
前記引き上げ部材は、前記ショーツ本体への引き上げ部材の取付部間におけるショーツ本体の長さより短い
ことを特徴とする女性用ショーツ。
【請求項２】
前記ショーツ本体は、前身頃、後身頃および股布を備え、
前記引き上げ部材の他端部は、前記後身頃と前記股布の縫着箇所に縫着されており、
前記引き上げ部材は、前記前身頃と前記股布を合わせた長さより短い
ことを特徴とする請求項１に記載の女性用ショーツ。
【請求項３】
前記後身頃の幅方向中央部には、前記ショーツ本体の上端部から前記股布にかけて伸縮性を有する素材が配置される
ことを特徴とする請求項２に記載の女性用ショーツ。
【請求項４】
前記ショーツ本体の上端部には、伸縮性を有する素材を収容する折返し部が、周方向に沿って形成されており、この折返し部は、５ｍｍ〜４０ｍｍの高さ寸法とされる
ことを特徴とする請求項１から請求項３までのいずれかに記載の女性用ショーツ。
【請求項５】
前記ショーツ本体の脚部用開口部には、伸縮性を有する素材からなる脚挿入部材が周方向に沿って設けられる
ことを特徴とする請求項１から請求項４までのいずれかに記載の女性用ショーツ。
【考案の詳細な説明】
【技術分野】
【０００１】
本考案は、女性用下着に関するものであり、特にショーツに関するものである。
【背景技術】
【０００２】
女性は、特に年配となると尿漏れを起こしやすくなる。そこで、ショーツに吸水パッドを装着するなどして、ショーツが汚れないよう防止したりしているが、尿漏れ自体を抑制することはできていなかった。
【考案の概要】
【考案が解決しようとする課題】
【０００３】
尿漏れは、股付近の骨盤底筋の弱まりが一因である。そこで、本考案は、骨盤底筋に対する力の加わり具合について工夫を行うことにより、尿漏れを抑制することができる女性用ショーツを提供するものである。
【課題を解決するための手段】
【０００４】
本考案は、前記課題を解決するためになされたものであり、請求項１に記載の考案は、ショーツ本体と、このショーツ本体の内側に配置される引き上げ部材とを備え、前記引き上げ部材は、その一端部が前記ショーツ本体の前側上端部に取り付けられ、他端部が前記ショーツ本体の後側の上下方向中途部に取り付けられており、前記引き上げ部材の一端部側は伸縮性を有する素材により形成されている一方、他端部側は吸水性を有する素材により形成されており、前記引き上げ部材は、前記ショーツ本体への引き上げ部材の取付部間におけるショーツ本体の長さより短いことを特徴とする女性用ショーツである。
【０００５】
請求項２に記載の考案は、前記ショーツ本体は、前身頃、後身頃および股布を備え、前記引き上げ部材の他端部は、前記後身頃と前記股布の縫着箇所に縫着されており、前記引き上げ部材は、前記前身頃と前記股布を合わせた長さより短いことを特徴とする請求項１に記載の女性用ショーツである。
【０００６】
請求項３に記載の考案は、前記後身頃の幅方向中央部には、前記ショーツ本体の上端部から前記股布にかけて伸縮性を有する素材が配置されることを特徴とする請求項２に記載の女性用ショーツである。
【０００７】
請求項４に記載の考案は、前記ショーツ本体の上端部には、伸縮性を有する素材を収容する折返し部が、周方向に沿って形成されており、この折返し部は、５ｍｍ〜４０ｍｍの高さ寸法とされることを特徴とする請求項１から請求項３までのいずれかに記載の女性用ショーツである。
【０００８】
さらに、請求項５に記載の考案は、前記ショーツ本体の脚部用開口部には、伸縮性を有する素材からなる脚挿入部材が周方向に沿って設けられることを特徴とする請求項１から請求項４までのいずれかに記載の女性用ショーツである。
【考案の効果】
【０００９】
本考案の女性用ショーツによれば、骨盤底筋を持ち上げて、尿漏れを抑制することができる。
【図面の簡単な説明】
【００１０】
【図１】本考案の女性用ショーツの一実施例を示す正面図である。
【図２】図１の女性用ショーツの背面図である。
【図３】図１のＡ−Ａ断面図である。
【図４】図１のＢ−Ｂ断面図である。
【図５】図１の女性用ショーツを前身頃と後身頃の縫着箇所で分割して上下に展開した状態を示す図である。
【図６】図５の背面図である。
【図７】図１の女性用ショーツの使用状態を示す図である。
【考案を実施するための形態】
【００１１】
以下、本考案の女性用ショーツの一実施例について図面に基づいて具体的に説明する。
【００１２】
図１および図２は、本考案の女性用ショーツの一実施例を示す図であり、図１は正面図、図２は背面図である。
また、図３は図１のＡ−Ａ断面図であり、図４は図１のＢ−Ｂ断面図である。
さらに、図５は図１の女性用ショーツを縫着箇所で分割して上下に展開した状態を示す図であり、図６は図５の背面図である。
図７は使用状態を示す図であり、後方から見た図である。
【００１３】
なお、図１を正面図としているので、これに伴い、以下においては、図３における左側を前方、右側を後方として説明する。
【００１４】
本実施例のショーツ１は、ショーツ本体３と、このショーツ本体３の内部に設けられる引き上げ部材５とを備える。
【００１５】
本実施例では、ショーツ本体３は、前身頃７、後身頃９、およびこれらの下端部同士を連結する股布（クロッチ）１１により構成されており、使用者が履いた状態において使用者の下腹部および臀部を覆う。
【００１６】
股布１１は、鼓形状とされ、その後端部は、後方へ行くに従って幅広に形成され、さらに、後方へ円弧状に膨出するよう形成されている。股布１１は、その前端辺が、前身頃７の下端部中央に縫着され、後端辺が後身頃９の下端部中央に縫着されている。そして、前身頃７と後身頃９の両側縁７ａ，９ａがそれぞれ縫着されて、ショーツ本体３が形成される。ショーツ本体３には、その下端部に、股布１１を挟んだ両側に、使用者の足がとおされる一対の脚部用開口部１３，１３が形成されると共に、上端部に、胴部用開口部が形成されている。
【００１７】
前身頃７および後身頃９の各上端部は、内側に帯状のパワーネット１５を収容するよう折り返されて袋状に縫着されており、パワーネット１５はショーツ本体３の上端部に環状に配置されている。
このショーツ本体３の上端部の折返し部１７の上下寸法（高さ寸法）は、５ｍｍ〜４０ｍｍが好ましく、さらに好ましくは２０ｍｍ〜３０ｍｍとされ、図示例では、２５ｍｍとされる。
【００１８】
また、本実施例では、後身頃９は左右一対の後身頃側部材２１，２１と、これら後身頃側部材２１，２１間に設けられる後身頃中間部材２３とにより構成されている。後身頃中間部材２３は、上下に細長い鼓形状とされ、その下端部は、下方へ行くに従って幅広となるように形成されている。
【００１９】
本実施例では、後身頃中間部材２３は、２枚の素材が重ね合わされて形成されている。具体的には、後身頃中間部材２３は、内側に伸縮性素材からなる内側部材２５が配置され、この内側部材２５にベア天竺からなる外側部材２７が重ね合わされて形成されている。本実施例では、内側部材２５に、パワーネットが使用される。
【００２０】
そして、後身頃中間部材２３の左右両端部に、後身頃側部材２１がそれぞれ縫着されて後身頃９が形成される。なお、本実施例では、前身頃７、股布１１および後身頃側部材２１は、ベア天竺により形成されている。
【００２１】
引き上げ部材５は、前側部材３１と後側部材３３とにより構成され、ショーツ本体３内の左右方向中央部に配置される。
引き上げ部材５の前側部材３１は、伸縮性素材で形成されており、後側部材３３は、吸水性を有する素材により形成されている。本実施例では、前側部材３１は、パワーネットにより形成されており、前方（上方）へ行くに従って幅が広くなる略台形状に形成されている。
【００２２】
後側部材３３は、鼓形状とされ、その後端部は後方へ行くに従って幅広に形成され、さらに円弧状に膨出するよう形成されている。本実施例では、後側部材３３は、股布１１より若干小さくほぼ相似形状とされる。引き上げ部材５は、前側部材３１の後端辺（下端辺）に後側部材３３の前端辺が縫着されて構成される。
また、引き上げ部材５の長手方向の寸法は、前身頃７と股布１１を合わせた長さより３％〜１０％短い。
【００２３】
引き上げ部材５は、その前端部（上端部）がショーツ本体３の前側の上端部に取り付けられる。また、引き上げ部材５の後端部は、ショーツ本体３の後側の上下方向中途部に取り付けられ、ショーツ本体３の下端部αから１／５〜１／２の位置に取り付けられるのが好ましい。さらに好ましくは、引き上げ部材５の後端部は、ショーツ本体３の後側において、上下方向下から１／４〜１／２の位置に取り付けられる。
本実施例では、引き上げ部材５は、その前側部材３１の前端辺（上端辺）が、前身頃７の上端部に縫着される。また、後側部材３３の後端辺は、後身頃９の下端辺に縫着される。つまり、後側部材３３の後端辺は、後身頃９と股布１１の縫着箇所に縫着される。
このようにして、引き上げ部材５は、ショーツ本体３に設けられる。
【００２４】
また、本実施例では、ショーツ本体３の脚部用開口部１３に、伸縮性素材からなる脚挿入部材４１が設けられている。本実施例では、脚挿入部材４１としてパワーネットが使用され、環状のパワーネットの上端部が、脚部用開口部１３の端縁に縫着されて設けられている。なお、本実施例では、このパワーネット４１の表面にレース生地が重ね合わされて設けられている。
【００２５】
本実施例のショーツ１は、引き上げ部材５が、前身頃７と股布１１を合わせた長さより短い寸法とされている。このような構成により、本実施例のショーツ１を着用すると、引き上げ部材５の前側部材３１が伸び、これに伴って後側部材３３が骨盤底筋を上方へ押し上げる。これにより、尿道が締め付けられて、尿漏れが抑制される。
【００２６】
また、ショーツ本体３の後身頃９の幅方向中央部には、伸縮性素材からなる内側部材２５が設けられている。これにより、本実施例のショーツ１を着用することで、ヒップが持ち上げられると共に周囲から締付け力が働くので体型を整える効果がある。
さらに、ショーツ本体３の脚部用開口部１３に伸縮性素材からなる脚挿入部材４１が設けられていることで、脚まわりを締付けて安定して履くことができる。
なお、本考案の女性用ショーツは、上記実施例の構成に限らず、適宜変更可能である。
【符号の説明】
【００２７】
１  ショーツ
３  ショーツ本体
５  引き上げ部材
７  前身頃
９  後身頃
１１  股布
１７  折返し部
【図１】
0003166235.tif 000003
【図２】
0003166235.tif 000004
【図３】
0003166235.tif 000005
【図４】
0003166235.tif 000006
【図５】
0003166235.tif 000007
【図６】
0003166235.tif 000008
【図７】
0003166235.tif 000009